(57)【要約】【課題】外観デザインを損なうことなくコスト安で、ハウジングとスキャナユニットとの間の回動機構を構成できる印刷装置を提供する。【解決手段】ハウジング２とスキャナユニット３０との間を所定軸周りに回動自在に連結する一対の連結部４０を有して、連結部４０Ａがバネ体を有するヒンジ機構４１を構成するインクジェットプリンター１であって、連結部４０Ｂは、上記所定軸方向に延びる回動軸５０と、回動軸５０を上記所定軸周りに回動自在に軸支する軸受６０とを備える軸受機構４２を有し、軸受６０は、スキャナユニット３０に設けられ、回動軸５０は、ハウジング２に一体成形され、ハウジング２は、回動軸５０と軸受６０とを上記所定軸方向で嵌め合せるためのスライドスペース７０を有し、スキャナユニット３０は、上記嵌め合せた際にスライドスペース７０を覆い隠すカバー体８０を有するという構成を採用する。【選択図】図８
2011102019.tif 000002
【特許請求の範囲】
【請求項１】
ハウジングとスキャナユニットとの間を所定軸周りに回動自在に連結する一対の連結部を有して、前記連結部の一方側がバネ体を有するヒンジ機構を構成する印刷装置であって、
前記連結部の他方側は、前記所定軸方向に延びる回動軸と、前記回動軸を前記所定軸周りに回動自在に軸支する軸受とを備える軸受機構を有し、
前記軸受機構の一方側は、スキャナユニットに設けられ、
前記軸受機構の他方側は、ハウジングに一体成形され、
前記ハウジングは、前記回動軸と前記軸受とを前記所定軸方向で嵌め合せるためのスライドスペースを有し、
前記スキャナユニットは、前記嵌め合せた際に前記スライドスペースを覆い隠すカバー体を有することを特徴とする印刷装置。
【請求項２】
前記軸受は、前記回動軸を挟んで互いに逆側の周面と当接して前記回動軸を軸支する第１軸受部及び第２軸受部を有し、
前記第１軸受部及び前記第２軸受部は、前記所定軸方向において互いに異なる位置に設けられ、
前記回動軸は、前記第１軸受部と当接する周面に対し逆側の位置あるいは前記第２軸受部と当接する周面に対し逆側の位置に、スキャナユニットあるいはハウジングと接続する接続部が設けられていることを特徴とする請求項１に記載の印刷装置。
【請求項３】
前記スライドスペースは、前記所定軸方向において、スキャナユニットの回動領域に沿ってハウジングに形成された円弧状の溝形状により形成されることを特徴とする請求項１または２に記載の印刷装置。
【請求項４】
前記カバー体は、前記溝形状に沿った形状を有することを特徴とする請求項３に記載の印刷装置。
【発明の詳細な説明】
【技術分野】
【０００１】
本発明は、印刷装置に関する。
【背景技術】
【０００２】
印刷装置としては、例えば下記特許文献１のスキャナユニットを備える複合プリンターが知られている。この複合プリンターは、原稿カバーを所定軸周りに回動可能に連結するヒンジ機構を備える。
【先行技術文献】
【特許文献】
【０００３】
【特許文献１】特許第４３０４０８９号公報
【発明の概要】
【発明が解決しようとする課題】
【０００４】
ところで、複合プリンターにおいては、ケース本体のハウジングに対してスキャナユニットを所定軸周りに回動自在とさせるため、上記のようなヒンジ機構を備えるものがある。このヒンジ機構は、バネ体を備えて、所定角度にスキャナユニットを変位可能な構成となっており、従来では、ハウジングとスキャナユニットとの間の２箇所の連結部にそれぞれ設ける構成、あるいは、一方の連結部にのみバネ入りヒンジ機構とし、他方をバネなしのヒンジ機構（所謂ダミーヒンジ）とする構成となっている。
しかしながら、従来の構成では、ハウジングとスキャナユニットとを連結するために、ヒンジ機構が別部品として２部品必要となり、部品コスト及び組立コストが掛かるという問題がある。また、複合プリンターにおいては、外観も需要の増大に繋がるため、外観デザインについても考慮しなければならない。
【０００５】
本発明は、上記問題点に鑑みてなされたもので、外観デザインを損なうことなくコスト安で、ハウジングとスキャナユニットとの間の回動機構を構成できる印刷装置を提供することを目的としている。
【課題を解決するための手段】
【０００６】
上記の課題を解決するために、本発明は、ハウジングとスキャナユニットとの間を所定軸周りに回動自在に連結する一対の連結部を有して、上記連結部の一方側がバネ体を有するヒンジ機構を構成する印刷装置であって、上記連結部の他方側は、上記所定軸方向に延びる回動軸と、上記回動軸を上記所定軸周りに回動自在に軸支する軸受とを備える軸受機構を有し、上記軸受機構の一方側は、スキャナユニットに設けられ、上記軸受機構の他方側は、ハウジングに一体成形され、上記ハウジングは、上記回動軸と上記軸受とを上記所定軸方向で嵌め合せるためのスライドスペースを有し、上記スキャナユニットは、上記嵌め合せた際に上記スライドスペースを覆い隠すカバー体を有するという構成を採用する。
このような構成を採用することによって、本発明では、ハウジングとスキャナユニットとを所定軸周りに回動自在に連結する連結部の他方側のヒンジ機構を廃止して、軸受機構とする。また、軸受機構の回動軸あるいは軸受をハウジングと一体成形とし、他方と嵌め合せることで、回動機構を構成する。さらに、ハウジングには、軸受機構の嵌め合せるためのスライドスペースを形成して、嵌め合せ時に、このスライドスペースをカバー体で覆い隠す構成とすることにより、外観デザインを損なうことなくコスト安で回動機構を構成する。
【０００７】
また、本発明においては、上記軸受は、上記回動軸を挟んで互いに逆側の周面と当接して上記回動軸を軸支する第１軸受部及び第２軸受部を有し、上記第１軸受部及び上記第２軸受部は、上記所定軸方向において互いに異なる位置に設けられ、上記回動軸は、上記第１軸受部と当接する周面に対し逆側の位置あるいは上記第２軸受部と当接する周面に対し逆側の位置に、スキャナユニットあるいはハウジングと接続する接続部が設けられているという構成を採用する。
このような構成を採用することによって、本発明では、軸受の第１軸受部と第２軸受部とを軸方向で互いに異なる位置に設け、そのいずれか一方が当接する周面と逆側に回動軸の接続部を設ける。これにより、第１軸受部あるいは第２軸受部から受ける荷重を接続部で直接受けることができるため、第１軸受部と第２軸受部とが軸方向で同一の位置に設けられる場合と比べて、回動軸に作用する応力集中を低減させることができる。
【０００８】
また、本発明においては、上記スライドスペースは、上記所定軸方向において、スキャナユニットの回動領域に沿ってハウジングに形成された円弧状の溝形状により形成されるという構成を採用する。
このような構成を採用することによって、本発明では、回動するスキャナユニットとの干渉を避けると共に、回動軸と軸受とを所定軸方向で嵌め合せることができる。
【０００９】
また、本発明においては、上記カバー体は、上記溝形状に沿った形状を有するという構成を採用する。
このような構成を採用することによって、本発明では、円弧状の溝形状をカバー体で覆い隠して、外観デザインを保つことができる。
【図面の簡単な説明】
【００１０】
【図１】本発明の実施形態におけるインクジェットプリンターの正面側を示す斜視図である。
【図２】本発明の実施形態におけるインクジェットプリンターの背面側を示す斜視図である。
【図３】本発明の実施形態におけるスキャナユニットを示す斜視図である。
【図４】本発明の実施形態におけるハウジングを示す斜視図である。
【図５】本発明の実施形態におけるスキャナユニットの底面側を示す斜視図である。
【図６】本発明の実施形態における回動軸を示す斜視図である。
【図７】本発明の実施形態における軸受を示す斜視図である。
【図８】図２における線視Ａ−Ａ断面図である。
【発明を実施するための形態】
【００１１】
以下、本発明に係る印刷装置の実施形態について、図を参照して説明する。なお、以下の説明に用いる各図面では、各部材を認識可能な大きさとするため、各部材の縮尺を適宜変更している。本実施形態では、本発明に係る印刷装置として、インクジェット式プリンター（以下、インクジェットプリンターと称する）を例示する。
【００１２】
図１は、本発明の実施形態におけるインクジェットプリンター１の正面側を示す斜視図である。
図２は、本発明の実施形態におけるインクジェットプリンター１の背面側を示す斜視図である。
なお、以下の説明では、インクジェットプリンター１の奥行き方向をＸ軸方向と、Ｘ軸方向と直交する幅方向をＹ軸方向と、Ｘ軸方向及びＹ軸方向と直交する高さ方向をＺ軸方向と称して説明する場合がある。
【００１３】
インクジェットプリンター１は、記録用紙（記録媒体）をスタックするスタック部１０と、ユーザーが所定の情報を入力する操作パネル２０と、原稿を読み取るスキャナユニット３０とを有する。
【００１４】
スタック部１０は、ケース本体のハウジング２に形成された取出口３において、給紙トレイ１１上に排紙トレイ１２が設けられる構成となっている。給紙トレイ１１は、記録用紙の取出方向下流側（−Ｘ側）に引き出し可能な構成となっている。
操作パネル２０は、スタック部１０の上部に設けられており、ハウジング２と同一面を形成する基準角度から所定の角度へと変位可能なチルト機構を備える。
スキャナユニット３０は、ハウジング２に対してＹ軸方向に延びる軸（所定軸）周りに回動自在に連結されている。スキャナユニット３０上には原稿を給送可能な原稿給送カバー３１が、スキャナユニット３０に対してＹ軸方向に延びる軸（所定軸）周りに回動自在に連結されている。
【００１５】
インクジェットプリンター１は、操作パネル２０から指令が入力されると、給紙トレイ１１にスタックされている記録用紙を一枚ずつピックアップして、ハウジング２内に配置された不図示の記録ヘッドを走査させ、記録用紙にインクを噴射し、スキャナユニット３０で読み込んだ文字や画像等の所望の情報を、記録用紙に記録する印刷処理を実施する。印刷処理を経た記録用紙は、給紙トレイ１１上に配置された排紙トレイ１２上に排紙されてスタックされる。
【００１６】
次に、図３〜図８を参照して、本発明の実施形態におけるハウジング２とスキャナユニットとの間を連結する回動構造について説明する。
図３は、本発明の実施形態におけるスキャナユニット３０を示す斜視図である。
図４は、本発明の実施形態におけるハウジング２を示す斜視図である。
図５は、本発明の実施形態におけるスキャナユニット３０の底面側を示す斜視図である。
図６は、本発明の実施形態における回動軸５０を示す斜視図である。
図７は、本発明の実施形態における軸受６０を示す斜視図である。
図８は、図２における線視Ａ−Ａ断面図である。
【００１７】
図３に示すように、インクジェットプリンター１は、ハウジング２とスキャナユニット３０との間をＹ軸方向に延びる軸周りに連結する一対の連結部４０を有する。＋Ｙ側の連結部４０Ａ（連結部の一方側）は、バネ体を有するヒンジ機構４１（図５参照）を有している。ヒンジ機構４１は、ハウジング２に対して変位したスキャナユニット３０を所定角度で保持するフリーストップ形態のヒンジ機構となっている。このヒンジ機構４１は、ハウジング２の＋Ｙ側に形成された開口部４（図４参照）に挿入され、ハウジング２とスキャナユニット３０との間を連結する。
【００１８】
−Ｙ側の連結部４０Ｂ（連結部の他方側）は、ヒンジ機構を備えておらず、代わりに、Ｙ軸方向に延びる回動軸５０（図４参照）と、回動軸５０をＹ軸方向に延びる軸周りに回動自在に軸支する軸受６０（図５参照）とを備える軸受機構４２を有している。
本実施形態の軸受６０（軸受機構の一方側）は、スキャナユニット３０に設けられている。また、本実施形態の回動軸５０（軸受機構の他方側）は、ハウジング２に一体成形されている。この軸受機構４２は、ハウジング２に一体成形された回動軸５０と、スキャナユニット３０に設けられた軸受６０とをＹ軸方向で嵌め合せることで、ハウジング２とスキャナユニット３０との間を連結する。 
【００１９】
ハウジング２は、図４に示すように、回動軸５０と軸受６０とをＹ軸方向で嵌め合せるためのスライドスペース７０を有している。スライドスペース７０は、回動軸５０が設けられる部位を、その軸周りに円形に抉った形状となっており、＋Ｙ側がスキャナユニット３０をＹ軸方向でスライドさせるために解放されている。また、スライドスペース７０は、Ｙ軸方向において、スキャナユニット３０の回動領域に沿ってハウジング２に形成された円弧状の溝形状により形成されており、スキャナユニット３０との干渉を避ける構成となっている。このスライドスペース７０は、回動軸５０と共にハウジング２の射出成型時に一体成形される。
【００２０】
スキャナユニット３０は、図５に示すように、回動軸５０と軸受６０とをＹ軸方向で嵌め合せた際に、スライドスペース７０を覆い隠すカバー体８０を有する。カバー体８０は、スライドスペース７０により＋Ｙ側が解放されている部位を覆い隠すカバー部８１を有する。カバー部８１は、スライドスペース７０の溝形状に沿った半円形状を有しており、スキャナユニット３０が任意の角度に変位しても、スライドスペース７０の＋Ｙ側を覆う構成となっている。カバー体８０は、スライドスペース７０を形成するためにハウジング２を抉った部位を覆い隠すことで、インクジェットプリンター１の外観デザインが損なうことを防止する構成となっている。
【００２１】
軸受６０は、図７に示すように、回動軸５０を挟んで互いに逆側の周面５０ａ（図６参照）と当接して、回動軸５０を軸支する第１軸受部６１Ａ及び第２軸受部６１Ｂを有する。第１軸受部６１Ａ及び第２軸受部６１Ｂは、Ｙ軸方向において互いに異なる位置に設けられている。本実施形態では、第１軸受部６１Ａが−Ｙ側に、第２軸受部６１Ｂが＋Ｙ側に設けられている。
第１軸受部６１Ａの回動軸５０に当接する当接部６２Ａ及び第２軸受部６１Ｂの回動軸５０に当接する当接部６２Ｂは、互いに形状を補完し合うことで、回動軸５０を周方向全体で軸支する、Ｙ軸方向において略円形状となっている。具体的には、第１軸受部６１Ａが、スキャナユニット３０に対して＋Ｚ側に窪む凹形状となっており、第２軸受部６１Ｂが、スキャナユニット３０に対して−Ｚ側に突出した凹形状となっている。これら凹形状の組合せをＹ軸方向で視ると、略円形状となる。
【００２２】
回動軸５０は、図６に示すように、第１軸受部６１Ａと当接する周面５１ａ１と、第２軸受部６１Ｂと当接する周面５１ａ２とを有する。本実施形態では、周面５１ａ１が−Ｙ側に、周面５１ａ２が＋Ｙ側に配置される。軸を挟んで周面５１ａ２に対して逆側（＋Ｚ側）の位置には、ハウジング２と一体成形するために意図的に切り欠かれた部位が設けられている。また、軸を挟んで周面５１ａ１に対して逆側（−Ｚ側）の位置には、ハウジング２と一体で接続するための接続部５２が設けられている。接続部５２は、スライドスペース７０から＋Ｚ方向に立設されている。このため、本実施形態の回動軸５０は、周面５１ａ２が＋Ｙ側に突出した形状を呈している。
【００２３】
上記構成の軸受機構４２は、図８に示すように、回動軸５０と軸受６０とをＹ軸方向で嵌め合せることで構成される。
本実施形態の回動軸５０は、ハウジング２に一体成形され、本実施形態の軸受６０は、スキャナユニット３０に設けられるため、嵌め合せの際には、ユーザーは、スキャナユニット３０を把持して軸受６０を、回動軸５０に対して＋Ｙ側から−Ｙ側にスライドさせて嵌め込む。
ここで、ハウジング２にはスライドスペース７０が形成され、＋Ｙ側がスキャナユニット３０をＹ軸方向でスライドさせるために解放されているため、この嵌め合せを円滑に行うことが可能となる。また、回動軸５０と軸受６０とが嵌り合うと、カバー部８１がスライドスペース７０の＋Ｙ側に端部に位置し、カバー体８０がスライドスペース７０全体を覆い隠し、外観デザインを保つ機能を発揮する（図２参照）。
【００２４】
嵌め合わされた回動軸５０と軸受６０とは、第１軸受部６１Ａが周面５１ａ１と、第２軸受部６１Ｂが周面５１ａ２と当接する状態となる。第１軸受部６１Ａは回動軸５０の＋Ｚ側で摺動し、一方の第２軸受部６１Ｂは回動軸５０の−Ｚ側で摺動することにより、スキャナユニット３０が、ハウジング２に対してＹ軸方向に延びる軸周りに回動する。
このとき、第１軸受部６１Ａから周面５１ａ１に対し、垂直方向−Ｚ側に作用する重力荷重は、周面５１ａ１と軸を挟んで逆側に設けられた接続部５２が受けることとなる。したがって、本実施形態の軸受機構４２は、例えば、第１軸受部６１Ａと第２軸受部６１ＢとがＹ軸方向で同じ位置に配置して、回動軸５０の＋Ｙ側で嵌め合せた形態と比べて、回動軸５０の接続部５２根元部に作用する応力集中を低減させることができる。
なお、図１及び図２に示す原稿給送カバー３１の重心は、その内部に原稿給紙ローラー及びその駆動機構が設けられる＋Ｙ側に寄っており、本実施形態のように＋Ｙ側の連結部４０Ａを周知のヒンジ機構４１で構成して、−Ｙ側の連結部４０Ｂを上記の軸受機構４２で構成することで、原稿給送カバー３１の重力荷重を連結部４０Ａで積極的に受けさせて、連結部４０Ｂへの荷重を低減させることが可能となる。
【００２５】
したがって、上述した本実施形態によれば、ハウジング２とスキャナユニット３０との間を所定軸周りに回動自在に連結する一対の連結部４０を有して、連結部４０Ａがバネ体を有するヒンジ機構４１を構成するインクジェットプリンター１であって、連結部４０Ｂは、上記所定軸方向に延びる回動軸５０と、回動軸５０を上記所定軸周りに回動自在に軸支する軸受６０とを備える軸受機構４２を有し、軸受６０は、スキャナユニット３０に設けられ、回動軸５０は、ハウジング２に一体成形され、ハウジング２は、回動軸５０と軸受６０とを上記所定軸方向で嵌め合せるためのスライドスペース７０を有し、スキャナユニット３０は、上記嵌め合せた際にスライドスペース７０を覆い隠すカバー体８０を有するという構成を採用することによって、ハウジング２とスキャナユニット３０とを所定軸周りに回動自在に連結する連結部４０の他方側のヒンジ機構を廃止して、軸受機構４２とする。また、軸受機構４２の回動軸５０をハウジング２と一体成形とし、軸受６０と嵌め合せることで、回動機構を構成する。さらに、ハウジング２には、軸受機構４２の嵌め合せるためのスライドスペース７０を形成して、嵌め合せ時に、このスライドスペース７０をカバー体８０で覆い隠す構成とすることにより、外観デザインを損なうことなくコスト安で回動機構を構成することができる。
【００２６】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００２７】
例えば、上述の実施形態では、軸受６０がスキャナユニット３０に設けられ、回動軸５０がハウジング２に一体成形されていると説明したが、本発明はこの構成に限定されるものではなく、回動軸５０がスキャナユニット３０に設けられ、軸受６０がハウジング２に一体成形されている構成であってもよい。
また、回動軸５０と軸受６０との嵌め合せは、Ｙ軸方向において上述した実施形態と逆方向で行う構成であってもよい。このとき、回動軸５０の向き及び軸受６０のＹ軸方向における向き及び配置を逆構成とすることが望ましい。
【００２８】
また、上述の実施形態においては、印刷装置がインクジェットプリンター１である場合を例にして説明したが、インクジェットプリンターに限られず、複写機及びファクシミリ等の装置であってもよい。
【符号の説明】
【００２９】
１…インクジェットプリンター（印刷装置）、２…ハウジング、３０…スキャナユニット、４０…連結部、４０Ａ…連結部（連結部の一方側）、４０Ｂ…連結部（連結部の他方側）、４１…ヒンジ機構、４２…軸受機構、５０…回動軸、５０ａ…周面、５２…接続部、６０…軸受、６１Ａ…第１軸受部、６１Ｂ…第２軸受部、７０…スライドスペース、８０…カバー体、８１…カバー部
【図１】
2011102019.tif 000003
【図２】
2011102019.tif 000004
【図３】
2011102019.tif 000005
【図４】
2011102019.tif 000006
【図５】
2011102019.tif 000007
【図６】
2011102019.tif 000008
【図７】
2011102019.tif 000009
【図８】
2011102019.tif 000010